(57)【要約】  この電力管理方法は、グループ内の複数の需要家への蓄電システムからの電力供給およびグリッドからの電力供給を管理するものであって、複数の需要家によって使用される電力（「負荷電力」という）、および、グループのピークカット電力を求めるステップと、少なくとも負荷電力と前記ピークカット電力とに基いて、時間帯ごとに、蓄電システムからの放電量を決定するステップと、以前に、当該グループ内でどの程度のグリッド電力を使用したかを表す指標（「グリッド使用電力指標」という）を決定するステップとを有する。蓄電システムからの放電量を決定する前記ステップでは、負荷電力およびピークカット電力に加え、グリッド使用電力指標にも基づいて上記放電量を決定する。
2014042223.tif 000002
【特許請求の範囲】
【請求項１】
グループ内の複数の需要家への蓄電システムからの電力供給およびグリッドからの電力供給を管理する電力管理装置であって、
前記複数の需要家によって使用される電力（「負荷電力」という）、および、そのグループのピークカット電力を求める手段と、
少なくとも前記負荷電力と前記ピークカット電力とに基いて、時間帯ごとに、前記蓄電システムからの放電量を決定する手段と、
以前に、当該グループ内でどの程度のグリッド電力を使用したかを表す指標（「グリッド使用電力指標」という）を決定する手段と、
を有し、
蓄電システムからの放電量を決定する前記手段は、前記負荷電力および前記ピークカット電力に加え、前記グリッド使用電力指標にも基づいて、前記蓄電システムからの放電量を決定する、電力管理装置。
【請求項２】
前記グリッド使用電力指標は、そのグループ内で使用されたグリッド電力とピークカット電力との差分の累積値である、
請求項１に記載の電力管理装置。
【請求項３】
（Ｓ１）負荷電力が前記ピークカット電力以上か否かを判定する手段と、
（Ｓ２）前記Ｓ１での判定がＹｅｓの場合に、［負荷電力−ピークカット電力＋グリッド使用電力指標］を計算した値が前記蓄電システムの最大放電電力以上であるか否かの判定を行う手段と、
（Ｓ３）前記Ｓ２での判定がＹｅｓの場合に、最大出力で前記蓄電システムを放電させる手段と、
を有する、請求項１または２に記載の電力管理装置。
【請求項４】
（Ｓ１）負荷電力が前記ピークカット電力以上か否かを判定する手段と、
（Ｓ２）前記ステップＳ１での判定がＹｅｓの場合に、［負荷電力−ピークカット電力＋グリッド使用電力指標］を計算した値が前記蓄電システムの最大放電電力以上であるか否かの判定を行う手段と、
（Ｓ５）前記Ｓ２での判定がＮｏの場合に、［負荷電力−ピークカット電力＋グリッド使用電力指標］を計算した値で前記蓄電システムを放電させる手段と、
を有する、請求項１または２に記載の電力管理装置。
【請求項５】
さらに、
（Ｓ４）ａ：前記グリッド使用電力指標が存在していない場合には、その時間帯におけるグリッド電力とピークカット電力の差分をグリッド使用電力指標として設定し、ｂ：既にグリッド使用電力指標が存在する場合には、その時間帯におけるグリッド電力とピークカット電力の差分を前回のグリッド使用電力指標に加算し、グリッド使用電力指標を更新する手段を有する、
請求項１〜４のいずれか一項に記載の電力管理装置。
【請求項６】
前記需要家がさらに発電装置を備えており、
少なくともＳ１およびＳ２の前記手段は、発電装置からの電力（「発電電力」という）をも考慮して各値の算出を行う、請求項３または４に記載の電力管理装置。
【請求項７】
前記発電装置が太陽光発電装置である、請求項６に記載の電力管理装置。
【請求項８】
グループの複数の需要家への蓄電システムからの電力供給およびグリッドからの電力供給を管理する電力管理方法であって、
前記複数の需要家によって使用される電力（「負荷電力」という）、および、そのグループのピークカット電力を求めるステップと、
少なくとも前記負荷電力と前記ピークカット電力とに基いて、時間帯ごとに、前記蓄電システムからの放電量を決定するステップと、
以前に、当該グループ内でどの程度のグリッド電力を使用したかを表す指標（「グリッド使用電力指標」という）を決定するステップと、
を有し、
蓄電システムからの放電量を決定する前記ステップでは、前記負荷電力および前記ピークカット電力に加え、前記グリッド使用電力指標にも基づいて、前記蓄電システムからの放電量を決定する、電力管理方法。
【請求項９】
前記グリッド使用電力指標は、そのグループ内で使用されたグリッド電力とピークカット電力との差分の累積値である、請求項８に記載の電力管理方法。
【請求項１０】
（Ｓ１）負荷電力が前記ピークカット電力以上か否かを判定するステップと、
（Ｓ２）前記ステップＳ１での判定がＹｅｓの場合に、［負荷電力−ピークカット電力＋グリッド使用電力指標］を計算した値が前記蓄電システムの最大放電電力以上であるか否かの判定を行うステップと、
（Ｓ３）前記ステップＳ２での判定がＹｅｓの場合に、最大出力で前記蓄電システムを放電させるステップと、
を有する、請求項８または９に記載の電力管理方法。
【請求項１１】
（Ｓ１）負荷電力が前記ピークカット電力以上か否かを判定するステップと、
（Ｓ２）前記ステップＳ１での判定がＹｅｓの場合に、［負荷電力−ピークカット電力＋グリッド使用電力指標］を計算した値が前記蓄電システムの最大放電電力以上であるか否かの判定を行うステップと、
（Ｓ５）前記ステップＳ２での判定がＮｏの場合に、［負荷電力−ピークカット電力＋グリッド使用電力指標］を計算した値で前記蓄電システムを放電させるステップと、
を有する、請求項８または９に記載の電力管理方法。
【請求項１２】
さらに、
（Ｓ４）ａ：前記グリッド使用電力指標が存在していない場合には、その時間帯におけるグリッド電力とピークカット電力の差分をグリッド使用電力指標として設定し、ｂ：既にグリッド使用電力指標が存在する場合には、その時間帯におけるグリッド電力とピークカット電力の差分を前回のグリッド使用電力指標に加算し、グリッド使用電力指標を更新するステップを有する、請求項８〜１１のいずれか一項に記載の電力管理方法。
【請求項１３】
前記需要家がさらに発電装置を備えており、
少なくとも前記ステップＳ１およびＳ２では、発電装置からの電力（「発電電力」という）をも考慮して各値の算出を行う、請求項１０または１１に記載の電力管理方法。
【請求項１４】
前記発電装置が太陽光発電装置である、請求項１３に記載の電力管理方法。
【請求項１５】
グループ内の複数の需要家への蓄電システムからの電力供給およびグリッドからの電力供給を管理することをコンピュータに行わせるプログラムであって、
前記コンピュータに、
前記複数の需要家によって使用される電力（「負荷電力」という）、および、そのグループのピークカット電力を求めるステップと、
少なくとも前記負荷電力と前記ピークカット電力とに基いて、時間帯ごとに、前記蓄電システムからの放電量を決定するステップと、
以前に、当該グループ内でどの程度のグリッド電力を使用したかを表す指標（「グリッド使用電力指標」という）を決定するステップと、
を実行させ、
蓄電システムからの放電量を決定する前記ステップでは、前記負荷電力および前記ピークカット電力に加え、前記グリッド使用電力指標にも基づいて、前記蓄電システムからの放電量を決定する、プログラム。
【請求項１６】
前記グリッド使用電力指標は、そのグループ内で使用されたグリッド電力とピークカット電力との差分の累積値である、
請求項１５に記載のプログラム。
【請求項１７】
コンピュータに、
（Ｓ１）負荷電力が前記ピークカット電力以上か否かを判定するステップと、
（Ｓ２）前記ステップＳ１での判定がＹｅｓの場合に、［負荷電力−ピークカット電力＋グリッド使用電力指標］を計算した値が前記蓄電システムの最大放電電力以上であるか否かの判定を行うステップと、
（Ｓ３）前記ステップＳ２での判定がＹｅｓの場合に、最大出力で前記蓄電システムを放電させるステップと、
を実行させる、請求項１５または１６に記載のプログラム。
【請求項１８】
コンピュータに、
（Ｓ１）負荷電力が前記ピークカット電力以上か否かを判定するステップと、
（Ｓ２）前記ステップＳ１でＹｅｓの場合に、［負荷電力−ピークカット電力＋グリッド使用電力指標］を計算した値が前記蓄電システムの最大放電電力以上であるか否かの判定を行うステップと、
（Ｓ５）前記ステップＳ２での判定がＮｏの場合に、［負荷電力−ピークカット電力＋グリッド使用電力指標］を計算した値で前記蓄電システムを放電させるステップと、
を実行させる、請求項１５または１６に記載のプログラム。
【請求項１９】
さらに、コンピュータに、
（Ｓ４）ａ：前記グリッド使用電力指標が存在していない場合には、その時間帯におけるグリッド電力とピークカット電力の差分をグリッド使用電力指標として設定し、ｂ：既にグリッド使用電力指標が存在する場合には、その時間帯におけるグリッド電力とピークカット電力の差分を前回のグリッド使用電力指標に加算し、グリッド使用電力指標を更新するステップ、を実行させる請求項１５〜１８のいずれか一項に記載のプログラム。
【請求項２０】
前記需要家がさらに発電装置を備えており、
少なくとも前記ステップＳ１およびＳ２では、太陽光発電装置からの電力（「ＰＶ電力」という）をも考慮して各値の算出を行う、請求項１７または１８に記載のプログラム。
【請求項２１】
前記発電装置が太陽光発電装置である、請求項２０に記載のプログラム。
【発明の詳細な説明】
【技術分野】
【０００１】
本発明は、一定のグループ内において需要家への電力供給等を管理する技術に関し、特には、グループ内の電力を統括的に管理し、そのグループに供給されるグリッド電力の時間的平滑化を図ることが可能な電力管理方法、電力管理装置およびプログラムに関する。
【背景技術】
【０００２】
近年、住宅やビル等への電力供給に関し、ＩＴ（ｉｎｆｏｒｍａｔｉｏｎ  ｔｅｃｈｎｏｌｏｇｙ）技術を利用して電力の供給制御を行ったり、発電所からのグリッド電力に加え蓄電システムを併用したりすることが提案されている。例えば特許文献１では、住宅に太陽光発電装置や蓄電システムを配置すること、および、太陽光発電装置からの電力を外部の電力系統に出力したり蓄電システムの充電に使用したりすることが開示されている。
【先行技術文献】
【特許文献】
【０００３】
【特許文献１】特開２０１１−０７８１６８
【発明の概要】
【発明が解決しようとする課題】
【０００４】
しかしながら、特許文献１では、それぞれの住宅等については個別の電力管理が行われるものの、地域内の電力管理を統括的に行うことは何ら考慮されていない。他方、その地域を管轄する発電所に対する負担を軽減するためにも、それぞれの住宅やビルの個別の管理ではなく、地域全体で統括的に電力を管理し、その地域で必要とされるグリッド電力や蓄電システムからの電力等をコントロールすることが望ましい。特に、地域内でグリッド電力を一時的に多く使用した場合であっても、グリッド電力の時間的平滑化を行い、発電所に対する負担を軽減できることが好ましい。【０００５】
そこで本発明は、グループ内の電力を統括的に管理し、そのグループに供給されるグリッド電力の時間的平滑化を図ることが可能な電力管理方法、電力管理装置およびプログラムを提供することを目的とする。
【課題を解決するための手段】
【０００６】
上記目的を達成するための本発明の一形態の電力管理方法は下記の通りである：
１．グループの複数の需要家への蓄電システムからの電力供給およびグリッドからの電力供給を管理する電力管理方法であって、
前記複数の需要家によって使用される電力（「負荷電力」という）、および、そのグループのピークカット電力を求めるステップと、
少なくとも前記負荷電力と前記ピークカット電力とに基いて、時間帯ごとに、前記蓄電システムからの放電量を決定するステップと、
以前に、当該グループ内でどの程度のグリッド電力を使用したかを表す指標（「グリッド使用電力指標」という）を決定するステップと、
を有し、
蓄電システムからの放電量を決定する前記ステップでは、前記負荷電力および前記ピークカット電力に加え、前記グリッド使用電力指標にも基づいて、前記蓄電システムからの放電量を決定する、電力管理方法。【０００７】
（用語の定義）
「需要家」には、住宅またはビルや、商業施設、工業施設、医療施設等が含まれる。
「時間帯」に関して、１つの時間帯の長さは任意に設定可能であり、例えば、１つの時間帯の長さを数分〜数十分あるいは１時間などとしてもよい。各時間帯は必ずしも一定でなくてもよい。
【発明の効果】
【０００８】
本発明によれば、グループ内の電力を統括的に管理し、そのグループに供給されるグリッド電力の時間的平滑化を図ることが可能な電力管理方法、電力管理装置およびプログラムを提供することができる。
【図面の簡単な説明】
【０００９】
【図１】本発明の一形態の電力管理システムを示す模式図である。
【図２】電力管理装置の内部構成の一例を示すブロック図である。
【図３】図１のシステムの一連の動作を示すフローチャートである。
【図４】（ｉ）グループ内における時間帯ごとの負荷電力の変化、および（ｉｉ）その負荷電力に対する太陽光発電装置からの電力、蓄電池システムからの電力、グリッドからの電力の供給割合を示すグラフである。
【図５】従来の電力管理を行った場合の時間帯ごとの電力供給割合等を示すグラフである。
【発明を実施するための形態】
【００１０】
本発明の実施の形態について図面を参照しながら説明する。なお、以下に説明する構成、機能、動作等は本発明の一形態に係るものであって、本発明を何ら限定するものではない。
【００１１】
図１に示すように、この電力管理システム１は、ビル２１や住宅２２、２３（以下、これらをまとめて単に「需要家」ともいう）で使用される電力を統括的に管理するものである。ビル２１、住宅２２、２３には、発電所５からの電力が電力網７を介して供給される。この電力は「グリッド電力」と呼ばれる。
【００１２】
なお、図１ではビルや住宅のみが示されているが、店舗等の商業施設や、工場等の工業施設等の需要家が含まれていてもよい。また、ビル２１や住宅２２、２３が存在する「グループＡ」としては、特に限定されるものではないが、例えば所定の地域（１つの地域であってもよいし、互いに離れた複数の地域であってもよい）等が挙げられる。
【００１３】
ビル２１には、蓄電システム１３と太陽光発電装置１５とが備えられている。なお、本実施形態では発電装置の一例として太陽光発電装置１５を挙げたが、例えば燃料電池などのその他の種類の発電装置でもよい。
【００１４】
また、ビル２１での電力需要等の情報を計測・管理する電力管理デバイス（不図示）等も備えられている。ビル２１では次のような、電力および情報の管理が行われる：
（ａ）グリッド電力をビル２１内の各種電気機器に供給すること、
（ｂ）太陽光発電装置１５で発電した電力（「ＰＶ電力」）をビル２１内の各種電気機器に供給すること、
（ｃ）蓄電システム１３の電力をビル２１内の各種電気機器に供給すること、
（ｄ）グリッド電力またはＰＶ電力を使用して蓄電システム１３を充電すること、
（ｅ）ビル２１の電力需要の情報をネットワーク等を通じて外部に送信すること。
【００１５】
住宅２２には、ビル２１と同様、蓄電システム１３と太陽光発電装置１５とが備えられている。また、電力需要等の情報を計測・管理する電力管理デバイス（不図示）も備えられている。住宅２２では次のような、電力および情報の管理が行われる：
（ａ）グリッド電力を住宅２２内の各種電気機器に供給すること、
（ｂ）太陽光発電装置１５で発電した電力を住宅２２内の各種電気機器に供給すること、
（ｃ）蓄電システム１３の電力を住宅２２内の各種電気機器に供給すること、
（ｄ）グリッド電力またはＰＶ電力を使用して蓄電システムを充電すること、
（ｅ）住宅２２の電力需要等の情報をネットワーク等を通じて外部に送信すること。
【００１６】
住宅２３には、蓄電システム１３や太陽光発電装置１５等は備えられておらず、電力モニター１９のみが備えられている。住宅２３では次のような電力および情報の管理が行われる：
（ａ）グリッド電力を住宅内の各種電気機器に供給すること、
（ｅ）住宅２３の電力需要等の情報をネットワーク等を通じて外部に送信すること。
【００１７】
なお上記（ｅ）については、電力管理デバイス（不図示）や電力モニター１９がネットワーク接続機能を有しており、それら自身が情報を送信するものであってもよい。あるいは、ビルまたは住宅内に設けられたサーバ等を経由してそれらの情報が外部に送信される構成であってもよい。
【００１８】
図１に示すように、グループ電力管理システム１はグループＡ内の電力を統括的に管理するための電力管理装置３０を備えている。この電力管理装置３０は、例えばサーバ用コンピュータ等を有するものであってもよい。電力管理装置３０は、次のような機能を有する：
（ａ）グループＡ内における住宅２２、２３およびビル２１の電力需要を求める機能、
（ｂ）ピークカット電力を求める機能、
（ｃ）時間帯ごとにグループＡ内における全蓄電システムからの放電量を決定する機能、
（ｄ）以前にグループＡ内でどの程度のグリッド電力量を使用したかを表す指標（「グリッド使用電力指標」という）を決定する機能。
【００１９】
なお、上記（ａ）については、例えば、電力管理装置３０が、それぞれの需要家から送信された情報を受信しそれらを加算することで電力需要を求めてもよい。（ｂ）については、ユーザが電力管理装置３０に対して入力を行うことでピークカット電力が決定されてもよいし、電力管理装置３０に接続された他の機器からピークカット電力の情報が自動的に入力されることでピークカット電力が決定されてもよい。
【００２０】
また、電力管理装置３０は、グループＡ内における電力利用状況の判定やデマンドレスポンス制御（電力消費パターンを変化させる制御）を行う機能や、蓄電システムからの電力供給を開始させる／停止させる制御を行う機能等を有していてもよい。
【００２１】
電力管理装置のサーバ用コンピュータは、図２に示すように、例えば、通信部７１、表示部７２、入力部７３、処理部７４、記憶部７５などを有し、各部がバスを介してデータを送受信可能なように接続されたコンピュータであってもよい。通信部７１は、ネットワークを介して外部通信等を行う部分であり、例えば、ネットワークインターフェース等によって実現される。表示部７２は、処理部からの指示により様々なデータを表示する部分であり、例えば、液晶ディスプレイ等によって実現される。入力部７３は、ユーザが各種データを入力する部分であり、例えば、キーボードやマウス等によって実現される。処理部（プロセッサ部）７４は、所定のメモリを介して各部間のデータの受け渡しを行うととともに、各種の制御を行うものである。記憶部７５は、処理部からデータを記憶したり、記憶したデータを読み出したりするものであり、例えば、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等によって実現される。なお、電力管理装置３０の上述したような各機能は、例えば、記憶部７５内の電力管理プログラムを処理部７４で実行することにより達成されるものであってもよい。
【００２２】
プログラムは、一例で、予めコンピュータの記憶部内に格納されたものであってもよいし、インターネット等のネットワーク経由で供給されるものであってもよいし、または、所定の記憶媒体に格納されて供給されるものであってもよい。
【００２３】
次に、本実施形態のシステムにおける電力管理方法の一例について説明する。図３は一連の動作を示すフローチャートである。図４は、（ｉ）グループ内における時間帯ごとの負荷電力の変化、および（ｉｉ）その負荷電力に対する太陽光発電装置からの電力、蓄電池システムからの電力、グリッドからの電力の供給割合を示すグラフである。横軸が時間帯、縦軸が電力値である。表１は、図４のグラフのデータを示す表である。
【００２４】
なお、以下の説明において、
「ピークカット電力」とは、電力のピークカットを行うために、蓄電システムからの電力供給を開始する基準となる電力値であり、ここでは「１．００」に設定されている。
「グリッド使用電力増減値」とは、その時間帯以前に、当該グループ内でどの程度のグリッド電力量を使用したかを表す指標であって、初期状態では「０．００」に設定されている。
「蓄電システム放電電力」とは、グループＡにおける蓄電システムから放電される電力量を表し、その最大出力は「２．００」に設定してある。
【００２５】
【表１】
2014042223.tif 000003
【００２６】
以下、フローチャートに従って説明する。
【００２７】
〔時間帯「１」の場合〕
まず、ステップＳ１において、「負荷電力」から「ＰＶ発電電力」を減じた値が「ピークカット電力」以上であるか否かの判定を行う。この時間帯では、（負荷電力、ＰＶ発電電力、ピークカット電力）＝（１．０４、０．５０、１．００）であり、負荷電力１．０４−ＰＶ発電電力０．５０＝０．５４でピークカット電力１．０以上ではないので、ステップＳ１の判定は「Ｎｏ」となる。
【００２８】
次いで、ステップＳ６に進み、負荷電力がＰＶ発電電力より大きいか否かの判定を行う。この時間帯では、負荷電力１．０４がＰＶ発電電力０．５０より大きいので、ステップＳ６の判定は「Ｙｅｓ」となる。
【００２９】
その結果、図４に示すように時間帯「１」では、蓄電システムの放電は行われないこととなり（ステップＳ８）、負荷電力１．０４はグリッド電力とＰＶ発電電力とによってまかなわれる。
【００３０】
最後に、ステップＳ４において、ピークカット電力値とグリッド電力使用値との差分を計算して、この時間帯におけるグリッド使用電力増減値を決定する。具体的には、ピークカット電力値１．００とグリッド電力使用値０．５４との差分−０．４６を前回までの値（初期値０．００）に加えた−０．４６が、この時点のグリッド使用電力増減値として更新される。
【００３１】
〔時間帯「２」の場合〕
再びステップＳ１に戻り、時間帯「２」では、（負荷電力、ＰＶ発電電力、ピークカット電力）＝（３．００、０．５０、１．００）であり、負荷電力３．００−ＰＶ発電電力０．５０＝２．５０でピークカット電力１．０以上となるので、ステップＳ１の判定は「Ｙｅｓ」となる。
【００３２】
次いで、ステップＳ２に進み、負荷電力からＰＶ発電電力およびピークカット電力を減じ、それにグリッド使用電力増減値を加えた値が蓄電システム最大放電電力以上であるか否かの判定を行う。グリッド使用電力増減値は、先の時間帯において−０．４６と決定されている（ステップＳ４参照）。よって、計算の結果、３．０−０．５−１．０−０．４６＝１．０４となり、これは蓄電システム最大放電電力２．０以上ではないので、ステップＳ２の判定は「Ｎｏ」となる。
【００３３】
次いで、ステップＳ５に進み、蓄電システムからの放電量を計算する。すなわち、負荷電力からＰＶ発電電力およびピークカット電力を減じ、それにグリッド使用電力増減値を加えた値を放電量とする。この時間帯では、３．００−０．５０−１．００−０．４６＝１．０４で放電を行うこととなる。
【００３４】
その結果、図４に示すように時間帯「２」では、グリッド電力、蓄電システムの電力、ＰＶ発電電力がそれぞれ１．４６、１．０４、０．５０となる。
【００３５】
最後に、ステップＳ４において、ピークカット電力値１．００とグリッド電力使用値１．４６との差分０．４６が、前回までの値−０．４６に加算され、０.００が、この時間帯のグリッド使用電力増減値として更新される。
【００３６】
〔時間帯「３」の場合〕
この時間帯では、最大出力で蓄電池システムの放電が行われる。時間帯「３」では、（負荷電力、ＰＶ発電電力、ピークカット電力）＝（４．００、０．５０、１．００）であり、負荷電力４．００−ＰＶ発電電力０．５０＝３．５０でピークカット電力１．００以上となるので、ステップＳ１の判定は「Ｙｅｓ」となる。
【００３７】
次いで、ステップＳ２に進む。グリッド使用電力増減値は、先の時間帯において０．００と決定されている（ステップＳ４参照）。計算の結果、４．００−０．５０−１．００−０．００＝２．５０で、これは蓄電システム最大放電電力２．００以上となるので、ステップＳ２の判定は「Ｙｅｓ」となる。
【００３８】
その結果、図４に示すように時間帯「３」では、最大出力２．００で蓄電池システムの放電を行う（ステップＳ３）とともに、グリッド電力、ＰＶ発電電力がそれぞれ１．５０、０．５０となる。
【００３９】
最後に、ステップＳ４において、ピークカット電力値１．００とグリッド電力使用値１．５０との差分０．５０が、前回までの値０．００に加算され、０.５０が、この時間帯のグリッド使用電力増減値として更新される。
【００４０】
時間帯「４」〜「７」についても、上記と同様のステップに従った電力の管理を行うことができる。
【００４１】
〔時間帯「８」の場合〕
この時間帯では、（負荷電力、ＰＶ発電電力、ピークカット電力）＝（２．１０、０．５０、１．００）であり、負荷電力２．１０−ＰＶ発電電力０．５０＝１．６０でピークカット電力１．００以上となるので、ステップＳ１の判定は「Ｙｅｓ」となる。
【００４２】
次いで、ステップＳ２に進む。グリッド使用電力増減値は、先の時間帯において０．８０と決定されている（ステップＳ４参照）。計算の結果、２．１０−０．５０−１．００＋０．８０＝１．４０で、これは蓄電システム最大放電電力２．００以上ではないので、ステップＳ２の判定は「Ｎｏ」となる。
【００４３】
次いで、ステップＳ５に進み、２．１０−０．５０−１．００＋０．８０＝１．４０で放電を行うこととなる。
【００４４】
ステップＳ４以降については上記と同様である。
【００４５】
〔時間帯「９」の場合〕
蓄電システムからの電力供給が停止される時間帯「９」について説明する。
【００４６】
まず、ステップＳ１では、（負荷電力、ＰＶ発電電力、ピークカット電力）＝（１．３０、０．５０、１．００）であり、負荷電力１．３０−ＰＶ発電電力０．５０＝０．８０でピークカット電力１．００以上ではないので、ステップＳ１の判定は「Ｎｏ」となる。
【００４７】
次いで、ステップＳ６に進み、時間帯「９」では、負荷電力１．３０はＰＶ発電電力０．５０より大きいので、ステップＳ６の判定は「Ｙｅｓ」となる。
【００４８】
その結果、図４に示すように時間帯「９」では、それまで継続していた蓄電システムの放電が停止され（ステップＳ８）、負荷電力１．３０はグリッド電力とＰＶ発電電力とでまかなわれることとなる。
【００４９】
ステップＳ４以降については上記と同様である。
【００５０】
時間帯「１０」、「１１」、「１４」、「１５」も時間帯「９」と同様のステップに従った電力の管理を行うことができる。
【００５１】
〔時間帯「１２」、「１３」の場合〕
これらの時間帯では蓄電システムの充電が行われる。時間帯「１２」を例に上げると、（負荷電力、ＰＶ発電電力、ピークカット電力）＝（０．３０、０．５０、１．００）であり、負荷電力０．３０−ＰＶ発電電力０．５０＝−０．２０でピークカット電力１．００以上ではないので、ステップＳ１の判定は「Ｎｏ」となる。
【００５２】
次いで、ステップＳ６に進み、負荷電力０．３０はＰＶ発電電力０．５０より大きくないので、ステップＳ６の判定は「Ｎｏ」となる。
【００５３】
次いで、ステップＳ７に進み、負荷電力０．３０−ＰＶ発電電力０．５０＝−０．２０であるのでこの値で放電を行う（計算した値がマイナスとなっているので、蓄電システムが充電されることを意味する）。
【００５４】
ステップＳ４以降については上記と同様である。
【００５５】
〔時間帯「１６」の場合〕
この時間帯では、（負荷電力、ＰＶ発電電力、ピークカット電力）＝（１．８０、０．５０、１．００）であり、負荷電力１．８０−ＰＶ発電電力０．５０＝１．３０でピークカット電力１．００以上となるので、ステップＳ１の判定は「Ｙｅｓ」となる。
【００５６】
次いで、ステップＳ２に進む。グリッド使用電力増減値は、先の時間帯において−４.６０と決定されている。計算の結果、１．８０−０．５０−１．００−４．６０＝−４．３０で、これは蓄電システム最大放電電力２．００以上ではないので、ステップＳ２の判定は「Ｎｏ」となる。
【００５７】
次いで、Ｓ５に進み、１．８０−０．５０−１．００−４．６０＝−４．３０で放電を行う（つまり蓄電システムは充電される）こととなる。その結果、負荷１．８は、ＰＶ発電０．５とグリッド電力１．３でまかなわれる。
【００５８】
以上説明したようなフローチャートに従った電力管理によれば、グループＡにおいて、図４に例示したような時間帯ごとの電力の管理を行うことができる。このような電力管理は、従来の方式と比較して下記のような利点がある。図５は、従来の電力管理を行った場合の時間帯ごとの電力供給割合等を示すグラフである。
【００５９】
図５のような従来の電力管理の場合、蓄電システムからの電力に優先してグリッド電力およびＰＶ電力を使用するものであるので、例えば時間帯「６」、「７」、「８」でのグリッド電力がいずれも１．００に達している。この場合、グリッド電力が多く使用される時間が長く続くため、発電所に対する負荷が大きくなる。
【００６０】
これに対して本実施形態の場合、グループ内の電力を統括的に管理し、「グリッド使用電力指標」をも考慮してグループＡ内の蓄電システムの電力を決定するようにしている。したがって、時間帯「６」、「７」、「８」でのグリッド電力を低減させることができ、その結果、発電所に対する負荷の軽減を図ることができる。発電所に対する負荷が軽減される結果、発電所側の蓄電システムを大型化する必要もなくなり、グループ全体として効率的な電力消費も可能となる。
【００６１】
以上、本発明の一形態について説明したが、本発明は上記に限定されるものではなく種々変更可能である。例えば：
（ａ）図１では蓄電システムを有していない住宅も電力管理の対象としたが、蓄電システムを備えている住宅等のみを対象としてもよい。
（ｂ）また、図４のグラフおよび図３のフローチャートではＰＶ電力を利用する例について説明したが、夜間のようなＰＶ電力を利用できない場合においても、本発明のような電力電力制御を行うことは有効である。
【００６２】
本明細書は以下の発明も開示する：
１．グループの複数の需要家への蓄電システムからの電力供給およびグリッドからの電力供給を管理する電力管理方法であって、
前記複数の需要家によって使用される電力（「負荷電力」という）、および、そのグループのピークカット電力を求めるステップと、
少なくとも前記負荷電力と前記ピークカット電力とに基いて、時間帯ごとに、前記蓄電システムからの放電量を決定するステップ（Ｓ２、Ｓ３、Ｓ５）と、
以前に、当該グループ内でどの程度のグリッド電力を使用したかを表す指標（「グリッド使用電力指標」という）を決定するステップ（Ｓ４）と、
を有し、
蓄電システムからの放電量を決定する前記ステップ（Ｓ２、Ｓ３、Ｓ５）では、前記負荷電力および前記ピークカット電力に加え、前記グリッド使用電力指標にも基づいて、前記蓄電システムからの放電量を決定する、電力管理方法。
【００６３】
このような方法によれば、以前にそのグループ内でどの程度のグリッド電力を使用したかを表す指標（「グリッド使用電力指標」）を導入し、その指標に基づいてそのグループ内での蓄電システムからの放電量を決定するようにしているので、当該グループ内のグリッド電力の時間的平滑化を図ることが可能となる。
【００６４】
なお、本明細書は、上記１の方法および上記実施形態で説明した方法を装置またはプログラムの発明として表現したものをも開示する。
【符号の説明】
【００６５】
１  電力管理システム
７  電力網
１３  蓄電システム
１５  太陽光発電装置
１９  電力モニター
２１  ビル
２２、２３  住宅
３０  電力管理装置
【図１】
2014042223.tif 000004
【図２】
2014042223.tif 000005
【図３】
2014042223.tif 000006
【図４】
2014042223.tif 000007
【図５】
2014042223.tif 000008
【国際調査報告】
2014042223.tif 000009
2014042223.tif 000010
2014042223.tif 000011
2014042223.tif 000012